(57)【要約】      （修正有）【課題】ナンバープレートと顔を同期識別できるウェアラブル装置を提供する。【解決手段】ウェアラブル装置は、カメラレンズと、画像キャプチャユニットと、データベースと、中央演算処理装置と、表示ユニットとを備える。カメラレンズは外部からの光線を受光させて画像を形成させるために用いられ、画像キャプチャユニットは画像のキャプチャに用いられ、データベースは複数の顔データ及びナンバープレートデータの保存に用いられ、中央演算処理装置は画像の受像に用いられると共に顔またはナンバープレートを識別させて各識別データを取得させる。データベースからこれらデータにアクセスされ、データがデータベース中の顔データ、またはナンバープレートデータに符合する場合、中央演算処理装置により顔識別データとナンバープレート識別データが個別に又は同時に表示ユニットに伝送されて表示される。【選択図】図１
0003214507.tif 000002
【実用新案登録請求の範囲】
【請求項１】
本体と、
前記本体に設置され、且つ外部からの光線を受光させて画像を形成させるために用いられるカメラレンズと、
前記本体に設置され、前記画像のキャプチャに用いられる画像キャプチャユニットと、
複数の顔データ及び複数のナンバープレートデータの保存に用いられるデータベースと、
前記本体に設置され、前記画像の受像に用いられると共に前記画像中から前記顔または前記ナンバープレート或いは前記顔及び前記ナンバープレートを識別させることにより顔識別データまたはナンバープレート識別データを取得させ、前記データベースからこれら前記顔データ及びこれら前記ナンバープレートデータにアクセスされ、且つ前記顔識別データまたは前記ナンバープレート識別データとの比較が行われる中央演算処理装置と、
前記本体に設置される表示ユニットと、
前記画像光線をキャプチャさせることにより熱画像を生成させ、前記熱画像が前記表示ユニットに伝送されて表示され、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記表示ユニットに伝送されて表示されるサーマルモジュールとを備えることを特徴とするナンバープレートと顔を同期識別できるウェアラブル装置。
【請求項２】
制御パネルを更に備え、前記画像は前記制御パネルにより前記中央演算処理装置に伝送され、前記顔識別データまたは前記ナンバープレート識別データ或いは前記顔識別データ及び前記ナンバープレート識別データが同時に前記制御パネルにより前記表示ユニットに伝送されることを特徴とする請求項１に記載のナンバープレートと顔を同期識別できるウェアラブル装置。
【請求項３】
前記データベースは、前記本体に設けられ、且つ前記中央演算処理装置に接続されるホストデータベースを備えることを特徴とする請求項１に記載のナンバープレートと顔を同期識別できるウェアラブル装置。
【請求項４】
前記データベースは、ネットワークを経由して前記中央演算処理装置に接続されるクラウドデータベースを更に備えることを特徴とする請求項３に記載のナンバープレートと顔を同期識別できるウェアラブル装置。
【請求項５】
前記データベースは、ネットワークを経由して前記中央演算処理装置に接続されるクラウドデータベースを備えることを特徴とする請求項１に記載のナンバープレートと顔を同期識別できるウェアラブル装置。
【請求項６】
前記表示ユニットは第一表示装置を備え、前記画像光線は前記第一表示装置に伝送されて表示され、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記第一表示装置に伝送されて表示されることを特徴とする請求項１に記載のナンバープレートと顔を同期識別できるウェアラブル装置。
【請求項７】
前記表示ユニットは第二表示装置を更に備え、前記熱画像は前記第二表示装置に伝送されて表示されることを特徴とする請求項６に記載のナンバープレートと顔を同期識別できるウェアラブル装置。
【請求項８】
前記中央演算処理装置に接続される電源を更に備えることを特徴とする請求項１に記載のナンバープレートと顔を同期識別できるウェアラブル装置。
【請求項９】
電源制御パネルを更に備え、外部電源は前記電源制御パネルを介して前記中央演算処理装置に接続されることを特徴とする請求項１に記載のナンバープレートと顔を同期識別できるウェアラブル装置。
【考案の詳細な説明】
【技術分野】
【０００１】
本考案は、ナンバープレートと顔を同期識別できるウェアラブル装置（wearable device capable of recognizing human face and license plate）に関する。
【背景技術】
【０００２】
一般的な交通の取り締まりや警察の捜査の過程では、人及び車両を特定する必要がある。警察は身分証明書やナンバープレートをキーボードや手書きで電子装置に入力し、データベースに接続して照会を行う。
【考案の概要】
【考案が解決しようとする課題】
【０００３】
しかしながら、前述した従来の技術では、すなわち、上述したように、このような作業には一定の時間がかかるため、初動捜査が難航することがあった。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の目的は、ナンバープレートと顔を同期識別できるウェアラブル装置を提供することを目的とする。すなわち、顔またはナンバープレートの画像をキャプチャし、識別を行い、その後データベース中の顔及びナンバープレートのデータとの比較を行うことにより、目の前の人間や車両が捜査対象であるかどうかを即時に確認可能になる。
【課題を解決するための手段】
【０００６】
上述した課題を解決し、目的を達成するために、本考案に係るナンバープレートと顔を同期識別できるウェアラブル装置は、本体と、前記本体に設置され、且つ外部からの光線を受光させて画像を形成させるために用いられるカメラレンズと、前記本体に設置され、前記画像のキャプチャに用いられる画像キャプチャユニットと、複数の顔データ及び複数のナンバープレートデータの保存に用いられるデータベースと、前記本体に設置され、前記画像の受像に用いられると共に前記画像中から前記顔または前記ナンバープレート或いは前記顔及び前記ナンバープレートを識別させることにより顔識別データまたはナンバープレート識別データを取得させ、前記データベースからこれら前記顔データ及びこれら前記ナンバープレートデータにアクセスされ、且つ前記顔識別データまたは前記ナンバープレート識別データとの比較が行われる中央演算処理装置と、前記本体に設置される表示ユニットと、前記画像光線をキャプチャさせることにより熱画像を生成させ、前記熱画像が前記表示ユニットに伝送されて表示され、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記表示ユニットに伝送されて表示されるサーマルモジュールとを備える。
【考案の効果】
【０００７】
本考案に係るナンバープレートと顔を同期識別できるウェアラブル装置によれば、目の前の人物や車両が捜索対象であるかどうか即時に確認可能になり、交通管理や刑事捜査に応用可能である。
【図面の簡単な説明】
【０００８】
【図１】本考案の一実施形態によるナンバープレートと顔を同期識別できるウェアラブル装置を示すブロック図である。
【図２】本考案のナンバープレートと顔を同期識別できるウェアラブル装置を応用するナンバープレートと顔を同期識別できる方法のフローチャートである。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
以下、図１及び２を参照しながら、本考案をさらに詳しく説明する。
【実施形態】
【００１１】
図１は本考案の一実施形態によるナンバープレートと顔を同期識別できるウェアラブル装置を示すブロック図である。本考案のナンバープレートと顔を同期識別できるウェアラブル装置１００は、本体と、カメラレンズ１０と、画像キャプチャユニット２０と、データベース３０と、中央演算処理装置４０と、表示ユニット５０とを備える。カメラレンズ１０は前記本体に設置され、且つ外部からの光線を受光させて画像を形成させるために用いられ、また、画像キャプチャユニット２０は前記本体に設置され、前記画像のキャプチャに用いられる。本実施形態では、画像キャプチャユニット２０は電荷結合素子(charge-coupled device、CCD)または相補型MOS(CMOS)の撮像素子であり、データベース３０は複数の顔データ及び複数のナンバープレートデータの保存に用いられ、例えば探したい人やナンバープレートのデータが保存される。中央演算処理装置４０は画像キャプチャユニット２０によりキャプチャされた画像の受像に用いられると共に画像中から顔またはナンバープレート或いは顔及びナンバープレートを同時に識別させて顔識別データまたはナンバープレート識別データを取得させる。顔の識別及びナンバープレートの識別には従来の顔の視覚的特徴識別技術及び画像処理技術が使用されるため、再述はしない。その後データベース３０から予め保存された上述の顔データ及び上述のナンバープレートデータにアクセスされ、且つ顔識別データまたはナンバープレート識別データとの比較が行われる。顔識別データがデータベース３０中の顔データに符合する場合、またはナンバープレート識別データがデータベース３０中のナンバープレートデータに符合する場合、或いは顔識別データがデータベース３０中の顔データに符合すると共にナンバープレート識別データがデータベース中のナンバープレートデータに符合する場合、中央演算処理装置４０により顔識別データまたはナンバープレート識別データ或いは顔識別データ及びナンバープレート識別データが同時に表示ユニット５０に伝送されて表示される。
【００１２】
また、本考案のナンバープレートと顔を同期識別できるウェアラブル装置１００は、制御パネル６０を更に備える。画像は制御パネル６０を介して中央演算処理装置４０に伝送され、上述の識別過程を経た後の顔識別データまたはナンバープレート識別データ或いは顔識別データ及びナンバープレート識別データが同時に制御パネル６０を介して表示ユニット５０に伝送されて表示される。制御パネル６０はアナログ／デジタル変換ユニットを含む。アナログ信号の画像がデジタル信号に変換された後、中央演算処理装置４０に伝送されて識別及び比較が行われ、データベース３０のデータに符合するか識別された後のデータもアナログ／デジタル変換ユニットによりアナログ信号に変換されて表示ユニット５０に出力され、或いは音声信号が生成されてスピーカー(図示せず)に出力される。
【００１３】
なお、本考案のナンバープレートと顔を同期識別できるウェアラブル装置１００は、サーマルモジュール７０を更に備える。カメラレンズにより生成された画像がキャプチャされることにより熱画像が生成される。表示ユニット５０は第一表示装置５２及び第二表示装置５４を含む。画像光線が第一表示装置５２に伝送されて表示され、熱画像が第二表示装置５４に伝送されて表示される。顔識別データがデータベース３０中のこれら前記顔データに符合する場合、またはナンバープレート識別データがデータベース３０中のこれら前記ナンバープレートデータに符合する場合、或いは顔識別データがデータベース中のこれら前記顔データに符合すると共に前記ナンバープレート識別データが前記データベース中のこれら前記ナンバープレートデータに符合する場合、中央演算処理装置４０により顔識別データまたはナンバープレート識別データ或いは顔識別データ及びナンバープレート識別データが同時に第一表示装置５２に伝送されて表示される。
【００１４】
本実施形態では、データベース３０はホストデータベース３２及びクラウドデータベース３４を備え、ホストデータベース３２はウェアラブル装置１００中に設けられると共に中央演算処理装置４０に接続され、クラウドデータベース３４はネットワークを経由して中央演算処理装置４０に接続される。上述のネットワークはワイヤレスネットワークでも有線ネットワークでもよく、限定されない。ホストデータベース３２に保存される顔データ及びナンバープレートデータはクラウドデータベース３４中の顔データ及びナンバープレートデータと同じでもよく、或いはホストデータベース３２に保存される顔データ及びナンバープレートデータはクラウドデータベース３４中の顔データ及びナンバープレートデータとは異なってもよい。
【００１５】
さらに、本考案のナンバープレートと顔を同期識別できるウェアラブル装置１００は、中央演算処理装置４０に接続される電源８０を更に備える。本実施形態では、電源８０は電池である。他の実施形態では、本考案のナンバープレートと顔を同期識別できるウェアラブル装置１００は、中央演算処理装置４０に接続される電源制御パネル９０を更に含む。外部電源は電源制御パネル９０を経由して中央演算処理装置４０に接続される。これにより、外部電源から本考案に係るナンバープレートと顔を同期識別できるウェアラブル装置１００に対する給電、または電源８０に対する充電が行われる。
【００１６】
図２は図１に示すナンバープレートと顔を同期識別できるウェアラブル装置によりナンバープレートと顔を同期識別できる方法を行う。工程Ｓ１において、画像キャプチャ装置を有するウェアラブル装置が提供される。次に、工程Ｓ２に進み、ウェアラブル装置の画像キャプチャ装置により画像がキャプチャされた後、工程Ｓ３に進む。工程Ｓ３では、画像中から顔またはナンバープレートが検知されたか否かの判断が下され、その後に工程Ｓ４に進み、顔またはナンバープレートが検知された場合、検知された顔またはナンバープレートに対する分析が行われると共に顔識別データまたはナンバープレート識別データが生成され、その後に工程Ｓ５に進む。工程Ｓ５では、前記顔識別データまたは前記ナンバープレート識別データとホストデータベース中の複数の顔データ及び複数のナンバープレートデータとの比較が行われ、続いて工程Ｓ６に進む。工程Ｓ６において、前記顔識別データまたは前記ナンバープレート識別データがホストデータベース中の複数の顔データ及び複数のナンバープレートデータに符合するか否かの判断が下され、顔データまたはナンバープレートデータに符合する場合、工程Ｓ７に進む。工程Ｓ７では、前記顔識別データまたは前記ナンバープレート識別データが表示される。顔データまたはナンバープレートデータに符合しない場合、工程Ｓ８に進み、工程Ｓ８では、顔識別データまたはナンバープレート識別データとクラウドデータベース中の複数の顔データ及び複数のナンバープレートデータとの比較が行われた後、工程Ｓ９に進む。工程Ｓ９において、顔識別データまたはナンバープレート識別データがクラウドデータベース中の複数の顔データ及び複数のナンバープレートデータに符合するか否かの判断が下される。符合する場合、工程Ｓ７に戻り、前記顔識別データまたは前記ナンバープレート識別データが表示される。符合しない場合、工程Ｓ２に戻り、ウェアラブル装置の画像キャプチャ装置により継続的に画像のキャプチャが行われる。
【００１７】
本考案に係るナンバープレートと顔を同期識別できるウェアラブル装置、及びナンバープレートと顔を同期識別する方法により、目の前の人間及び車両が捜査対象であるかどうかを即時に確認可能になるため、交通管理及び刑事捜査等の範囲に応用可能である。
【００１８】
上述の実施形態は本考案の技術思想及び特徴を説明するためのものにすぎず、当前記技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１０：カメラレンズ
２０：画像キャプチャユニット
３０：データベース
３２：ホストデータベース
３４：クラウドデータベース
４０：中央演算処理装置
５０：表示ユニット
５２：第一表示装置
５４：第二表示装置
６０：制御パネル
７０：サーマルモジュール
８０：電源
９０：電源制御パネル
１００：ナンバープレートと顔を同期識別できるウェアラブル装置
Ｓ１：工程
Ｓ２：工程
Ｓ３：工程
Ｓ４：工程
Ｓ５：工程
Ｓ６：工程
Ｓ７：工程
Ｓ８：工程
Ｓ９：工程
【図１】
0003214507.tif 000003
【図２】
0003214507.tif 000004